(57)【要約】【課題】媒体の反りの方向や、大きさ、あるいは媒体を積層するときのエンボスの方向に関係なく媒体を繰り出す。【解決手段】媒体繰出装置１０であって、媒体を積層して収納し、媒体を繰り出す媒体繰出口１０２を有する媒体収納ケース１００と、前記媒体収納ケース内において前記媒体を前記媒体繰出口方向に移動させる媒体移動手段１１０と、前記媒体収納ケース内であって前記媒体繰出口に隣接する位置に前記媒体の移動方向に対向し、前記媒体の傾きに合わせて回動して前記媒体を支持する媒体プレート１２０と、前記媒体プレート上であって前記媒体繰出位置と隣接する位置に配置され、前記媒体の反りに合わせて前記媒体の第１の端部に接触するように移動可能なゲート１４０と、前記媒体プレートに配置され、前記媒体の反りに合わせて前記媒体の第２の端部に接触して係合するピッカー１５０とを備える。【選択図】図２
2008168960.tif 000002
【特許請求の範囲】
【請求項１】
積層された媒体を繰り出す媒体繰出装置であって、
前記媒体を積層して収納し、媒体を繰り出す媒体繰出口を有する媒体収納ケースと、
前記媒体収納ケース内において前記媒体を前記媒体の積層方向であって前記媒体繰出口方向に移動させる媒体移動手段と、
前記媒体収納ケース内であって前記媒体繰出口に隣接する位置に前記媒体の移動方向に対向して配置され、前記積層された媒体の傾きに合わせて回動して前記媒体を支持する媒体プレートと、
前記媒体プレート上であって前記媒体繰出口と隣接する位置に配置され、前記媒体の反りに合わせて前記媒体の第１の端部に接触するように前記媒体の積層方向に移動可能なゲートと、
前記媒体プレートに配置され、前記媒体の反りに合わせて前記媒体の第２の端部に接触して係合し前記媒体を前記媒体繰出口に押し出すピッカーと、
を備える、媒体繰出装置。
【請求項２】
請求項１に記載の媒体繰出装置において、
前記ゲートは、
前記媒体を通過させるための開口部と、
前記ゲートを前記媒体プレート方向に移動させるための、前記開口部から前記収納ケースの内部側に突き出て前記媒体の第１の端部と接触する媒体接触部と、
前記ゲートを前記媒体の移動方向と平行に移動させて前記媒体の第１の端部と接触させるための、前記媒体プレートとの間に配置される弾性体と、
を備える、媒体繰出装置。
【請求項３】
請求項２に記載の媒体繰出装置において、
前記開口部は、長手方向両端の開口厚さが長手方向略中央部の開口厚さより厚い略長方形状である、媒体繰出装置。
【請求項４】
請求項１から請求項３のいずれか一項に記載の媒体繰出装置において、
前記媒体プレートは、
前記媒体と対向する面の裏側に、前記媒体収納ケースに支持され、回動するための回動軸を備える、媒体繰出装置。
【請求項５】
請求項１から請求項４のいずれか一項に記載の媒体繰出装置において、
前記ピッカーは、
前記媒体の第２の端部と係合する爪部と、
前記媒体プレートに配置され、前記爪部を支持する爪部支持部と、
前記爪部と前記爪部支持部の間に配置され、前記爪部を前記媒体の第２の端部と接触させるように移動させるための弾性体と、
を備える、媒体繰出装置。
【発明の詳細な説明】
【技術分野】
【０００１】
本発明は、カードなどの媒体を積層して収納し、繰り出す媒体繰出装置に関する。
【背景技術】
【０００２】
従来、例えば、自動取引装置に使用されるカード発行機において、カードは積層してカード発行機に収納され、１枚ずつ発行される。カードは一般にプラスチック製のカードが使われるため、反るなど変形する場合がある。また、カードにエンボスが形成されている場合がある。カードのエンボスがある部分はエンボスがない部分よりも厚いので、カードを重ねるときにエンボスが一方に偏ると傾いて積層されるカードが反ったり、カードが傾いて積層されたりすると、カードを発行する際にカードに爪が係合せずカードを発行できない場合がある。これに対し、カードを垂直方向に積層し、カードの繰り出し方向の両端、かつ、繰り出し方向の直交中央部でカードを支持する媒体繰出装置が知られている（特許文献１）
【０００３】
【特許文献１】特開２００２−８７６２６号公報
【発明の開示】
【発明が解決しようとする課題】
【０００４】
しかし、前記従来の媒体繰出装置では、カードを、繰り出し方向の両端、かつ、繰り出し方向の直交中央部の２点でしか支持していないため、カードの支持が不安定になりやすい。また、カードを垂直方向に積層し、カードの自重を利用してカードを支持部に押し付けているため、例えば、カードを横方向に積層して収納する媒体繰出装置を実現できない。
【０００５】
本発明は上記課題の少なくとも１つを解決するためになされたものであり、媒体に反りやエンボスがあっても媒体を安定して支持し、カードの積層方向に関係なく媒体を繰り出すことを目的とする。
【課題を解決するための手段】
【０００６】
本発明に係る媒体繰出装置は、積層された媒体を繰り出す媒体繰出装置であって、前記媒体を積層して収納し、媒体を繰り出す媒体繰出口を有する媒体収納ケースと、前記媒体収納ケース内において前記媒体を前記媒体の積層方向であって前記媒体繰出口方向に移動させる媒体移動手段と、前記媒体収納ケース内であって前記媒体繰出口に隣接する位置に前記媒体の移動方向に対向して配置され、前記積層された媒体の傾きに合わせて回動して前記媒体を支持する媒体プレートと、前記媒体プレート上であって前記媒体繰出口と隣接する位置に配置され、前記媒体の反りに合わせて前記媒体の第１の端部に接触するように前記媒体の積層方向に移動可能なゲートと、前記媒体プレートに配置され、前記媒体の反りに合わせて前記媒体の第２の端部に接触して係合し前記媒体を前記媒体繰出口に押し出すピッカーとを備える。本発明に係る媒体繰出装置によれば、媒体に反りやエンボスの偏りによる媒体の傾きがあっても媒体を容易に繰り出すことができる。
【０００７】
本発明に係る媒体繰出装置において、前記ゲートは、前記媒体を通過させるための開口部と、前記ゲートを前記媒体プレート方向に移動させるための、前記開口部から前記収納ケースの内部側に突き出て前記媒体の第１の端部と接触する媒体接触部と、前記ゲートを前記媒体の移動方向と平行に移動させて前記媒体の第１の端部と接触させるための、前記媒体プレートとの間に配置される弾性体とを備える。本発明に係る媒体繰出装置によれば、媒体の反りに合わせてゲートを媒体の第１の端部と接触させるように移動させることができる。
【０００８】
本発明に係る媒体繰出装置において、前記開口部は、長手方向両端の開口厚さが長手方向略中央部の開口厚さより厚い略長方形状である。本発明に係る媒体繰出装置によれば、媒体が反っていても、媒体に開口部を通過させることができる。
【０００９】
本発明に係る媒体繰出装置において、前記媒体プレートは、前記媒体と対向する面の裏側に、前記媒体収納ケースに支持され、回動するための回動軸を備える。本発明に係る媒体繰出装置によれば、媒体がエンボスの偏りにより傾いていても媒体を繰り出すことができる。
【００１０】
本発明に係る媒体繰出装置において、前記ピッカーは、前記媒体の第２の端部と係合する爪部と、前記媒体プレートに配置され、前記爪部を支持する爪部支持部と、
前記爪部と前記爪部支持部の間に配置され、前記爪部を前記媒体の第２の端部と接触させるように移動させるための弾性体とを備える。本発明に係る媒体繰出装置によれば、媒体が反っていても、爪部を媒体の第２の端部と係合させ、媒体を繰り出すことができる。
【発明を実施するための最良の形態】
【００１１】
以下、本発明の実施例について図面を用いて説明する。図１を用いて、本実施例に係る媒体繰出装置の外観について説明する。図１は、本実施例に係る媒体繰出装置の外観を示す斜視図である。媒体繰出装置１０は、筐体１００と媒体収納部１０８を備える。筐体１００は、上面に媒体２００を繰り出す開口部１０２を備え、側面に媒体２００を繰り出すためのスイッチボタン１０４と、繰り出した媒体２００の枚数を表示するカウンタ１０６を備える。媒体収納部１０８は、媒体収納部１０８を筐体１００から引き出すための取手１０９を備える。
【００１２】
媒体収納部１０８は、媒体２００を横方向に積層して収納する。例えば、取手１０９を持って、媒体収納部１０８を筐体１００から引き出し、媒体収納部１０８に媒体２００を収納する。本実施例では、媒体収納部１０８を筐体１００から完全に取り出さない状態で、媒体２００を媒体収納部１０８に収納するようにしているが、例えば、媒体収納部１０８を筐体１００から完全に取り出してから、媒体２００を媒体収納部１０８に収納する構成にしてもよい。
【００１３】
図２から図７を用いて、本実施例に係る媒体繰出装置１０の内部の構成について説明する。図２は、本実施例に係る媒体繰出装置１０の側面透視図である。図３は、本実施例に係る媒体繰出装置１０の平面透視図である。図４は、本実施例に係る媒体繰出装置１０の正面透視図である。なお、本実施例では、繰り出される媒体側を正面としている。図５は、本実施例に係る媒体繰出装置１０の媒体プレートとゲート部品とピッカーを模式的に示す斜視図である。図６は、本実施例に係る媒体繰出装置１０に用いられるゲート部品の斜視図である。図７は、本実施例に係る媒体繰出装置１０に用いられるピッカーの斜視図である。
【００１４】
媒体繰出装置１０は、筐体１００と媒体収納部１０８の他、筐体１００内部に媒体押付部１１０と媒体プレート１２０とゲート部品１４０とピッカー１５０とを備える。
【００１５】
媒体繰出装置１０は、積層された媒体２００を中心として、図２の図面上、媒体２００の左側に媒体押付部１１０を配置する。媒体繰出装置１０は、媒体２００の右側であって、開口部１０２に隣接する位置に媒体プレート１２０を配置する。媒体プレート１２０は、媒体プレート１２０の開口部１０２側（図面上部側）にゲート部品１４０、媒体プレート１２０の開口部１０２と反対側（図面下部側）にピッカー１５０を配置する。
【００１６】
媒体押付部１１０は、積層された媒体２００を媒体プレート１２０の方向（ｚ軸方向）に移動させる部品である。本実施例では、媒体２００を繰り出す方向と平行な軸をｘ軸、媒体２００の積層方向と平行な軸をｚ軸とし、ｘ軸の方向とｚ軸の方向の両方と垂直な方向と平行な軸をｙ軸としている。本実施例では、例えば、媒体押付部１１０は、スクリューブロック１１２に接続され、媒体２００の積層方向（ｚ軸方向）と平行に設けられたスクリューシャフト１１４の回転によりスクリューブロック１１２と共に媒体プレート方向に移動し、媒体２００を移動させる。なお、スクリューシャフトが回転したときにスクリューブロック１１２が回転しないようにスクリューシャフト１１４と平行にガイドシャフト１１６が設けられている。本実施例では、媒体押付部１１０を移動させるためにスクリューシャフト１１４を用いたが、例えば、バネやスライドシャフトとタイミングベルトを組み合わせた機構を用いてもよい。
【００１７】
媒体プレート１２０は、媒体２００が筐体１００の開口部１０２から繰り出せるように媒体２００を開口部１０２に隣接する位置（以下「媒体繰出位置」という。）に支持する。媒体プレート１２０は、媒体２００側に媒体接触面１２０ａと、媒体接触面１２０ａの裏側にスクリューシャフト１２２とガイドシャフト１２４と媒体プレート支持部１２６とバネ１２８とバネ１３０とを備える。
【００１８】
媒体接触面１２０ａは、繰り出される媒体２００と接触し、媒体２００を媒体繰出位置に支持する面である。媒体接触面１２０ａは、ｙ軸方向の略中央部に、ピッカー１５０が移動するための開口部１２０ｂを備える。
【００１９】
媒体プレート支持部１２６は媒体プレート１２０を筐体１００に設置するために、媒体接触面１２０ａの裏側に設けられる支持部材である。なお、筐体１００側には、台座１０１が設置される。媒体プレート支持部１２６と台座１０１とは、軸１３２を介して回動自在に接続される。本実施例では、軸１３２は、媒体プレート１２０がｙ軸回りに回動するように配置される。例えば、媒体プレート１２０に隣接する媒体２００がｙ軸回りに回転するように傾いている場合には、媒体プレート１２０は、媒体２００と平行になるように軸１３２を中心としてｙ軸回りに回動する。媒体プレート１２０が回動するときには、媒体プレート１２０は、ゲート部品１４０及びピッカー１５０と共に回動する。例えば、図２において、媒体プレート１２０が時計回りに回動すると、ゲート部品１４０は図面右方に移動する。一方、ピッカー１５０は図面左方に移動する。なお。軸１３２を挟んで、媒体２００の繰り出し方向前後には、バネ１２８及びバネ１３０が配置される。媒体プレート１２０は、媒体収納部１０８に媒体２００が収納されていない場合、あるいは、媒体２００が媒体プレート１２０側に接触していない場合には、バネ１２８及びバネ１３０の弾性力により、媒体プレート１２０は、媒体接触面１２０ａがｚ軸と略垂直になる。
【００２０】
ゲート部品１４０は、媒体２００が繰り出される開口部１４０ａと、媒体２００を支持する媒体接触部１４０ｂと凸型媒体接触部１４０ｃとを備える。開口部１４０ａは、略中央部１４０ｄが括れたｙ軸方向に細長い略長方形状の開口部である。開口部１４０ａの略中央部１４０ｄの開口厚さは、媒体２００の１枚分の厚さよりも厚く、媒体２００の２枚分の厚さよりも薄いことが望ましい。これにより、媒体２００は１枚ずつ開口部１４０ａを通過する。
【００２１】
媒体接触部１４０ｂは、開口部１４０ａの媒体プレート側の面と略面一になるように形成され、開口部１４０ａの入口から媒体収納部１０８の内部側に突き出るように形成される。開口部１４０ａは略中央部１４０ｄが括れているため、媒体接触部１４０ｂは、略中央部が媒体２００側に凸となる凸型媒体接触部１４０ｃを形成している。開口部１４０ａの凸型媒体接触部１４０ｃの対向面には、略中央部１４０ｄの括れを形成する開口部１４０ａ側が凸となる媒体２００の繰り出し方向に細長い凸状部１４０ｅが形成される。なお、凸型媒体接触部１４０ｃあるいは凸状部１４０ｅの媒体２００の入口側の凸の高さを、出口側の凸の高さよりも低くして傾斜を設けてもよい。媒体２００が繰り出されるときに凸型媒体接触部１４０ｃ及び凸状部１４０ｅに引っ掛かりにくくなる。
【００２２】
ゲート部品１４０は、バネ１４２を介して媒体プレート１２０に接続される。その結果、ゲート部品１４０は、バネ１４２の弾性力により媒体２００の積層方向に移動できる。バネ１４２の自由長は、図２の図面上、媒体接触部１４０ｂが媒体プレート１２０の媒体接触面１２０ａよりも左に突出するような長さ、例えば、媒体プレート１２０のバネ１４２の取り付け位置と媒体接触面１２０ａとの段差以上の長さであることが好ましい。
【００２３】
ピッカー１５０は、媒体２００を係合して開口部１４０ａから繰り出すための部品である。ピッカー１５０は、爪部１５２と、爪部支持部１５４と、軸１５６と、バネ１５８とを備える。
【００２４】
爪部１５２は媒体２００の端部と係合するための部品である。爪部１５２は、媒体２００を支持する媒体接触部１５２ａと媒体２００を係合する爪１５２ｂとを備える。媒体接触部１５２ａは、媒体２００と接触する面である。爪１５２ｂは、媒体接触部１５２ａから媒体２００を係合するために突き出ている凸部である。爪１５２ｂの高さは媒体２００の１枚分の厚さ以下であって、かつ１枚分の厚さとほぼ同じであるのが望ましい。その結果、爪部１５２は、媒体２００と１枚ずつ係合することができるので、媒体２００を１枚ずつ繰り出すことができる。また、爪１５２ｂの背面部１５２ｃは、緩やかな斜面になっているのが望ましい。爪１５２ｂの背面部１５２ｃは、緩やかな斜面になっているので、ピッカー１５０が媒体２００を繰り出した後、媒体２００を係合する前の位置に戻る際に、爪１５２ｂが媒体２００に引っ掛かりにくくなる。その結果、爪１５２ｂの背面部１５０ｃが媒体２００に引っ掛かって媒体２００を係合する前の位置に戻れなくなることが発生しにくくなる。
【００２５】
爪部支持部１５４は、軸１５６及びバネ１５８により爪部１５２を支持し、爪部支持部１５４が移動することにより爪部１５２を移動させる。爪部支持部１５４は、爪部１５２の他、スクリューシャフト用ネジ穴１５４ａとガイドシャフト用穴１５４ｂを備える。スクリューシャフト用ネジ穴１５４ａには、ネジ山が切られ、スクリューシャフト１２２が貫通する。ガイドシャフト用穴１５４ｂにはガイドシャフト１２４が貫通する。スクリューシャフト１２２及びガイドシャフト１２４は、媒体プレート１２０の媒体接触面１２０ａの裏面側に、媒体２００の繰り出し方向（ｘ軸方向）と平行に配置される。スクリューシャフト１２２には、ネジ山が切ってある。したがって、爪部支持部１５４は、スクリューシャフト用ネジ穴１５４ａを通るスクリューシャフト１２２が回転することにより、爪部１５２とともに媒体接触面１２０ａの開口部１２０ｂ内を移動する。ガイドシャフト１２４は、媒体接触面１２０ａの裏側に、スクリューシャフト１２２と平行に配置されるシャフトである。ガイドシャフト１２４は、スクリューシャフト１２２が回転するときに、ピッカー１５０が回転しないようにする。本実施例では、ピッカー部１５０を移動させるためにスクリューシャフト１２２を用いたが、スライドシャフトとタイミングベルトを組み合わせた機構を用いてもよい。
【００２６】
軸１５６は、爪部１５２と爪部支持部１５４とを接続する軸である。軸１５６は、爪部１５２が回動する際の回動軸となる。
【００２７】
バネ１５８は、爪部１５２と爪部支持部１５４の間に配置される。図２において、バネ１５８は、弾性力により、軸１５６を中心として爪部１５２を回動させる。バネ１５８の自由長は、爪部１５２の媒体接触部１５２ａとスクリューシャフト１２２とがなす角の大きさを、例えば、約４５度にするような長さが好ましい。
【００２８】
（１）媒体繰出装置１０の基本動作
以下、図２を用いて、媒体繰出装置１０の基本動作について説明する。媒体繰出装置１０は、スクリューシャフト１１４を回転し、媒体押付部１１０を媒体プレート１２０の方向に移動させ、媒体２００を媒体プレート１２０の方向に移動させる。媒体２００は、媒体プレート１２０の方向に移動すると、媒体２００の図面上側の端部は、ゲート部品１４０の凸型媒体接触部１４０ｃに接触して、ゲート部品を図面上、右方に移動させる。媒体２００の図面下部の端部は、爪部１５２の媒体接触部１５２ａに接触して、爪部１５２を反時計回りに回動させる。媒体２００の中央部は、媒体プレート１２０の媒体接触面１２０ａに接する。
【００２９】
媒体２００が媒体プレート１２０に接すると媒体押付部１１０は、媒体プレート１２０方向への移動を停止する。媒体押付部１１０の移動が停止すると、ゲート部品１４０の移動及び爪部１５２の回動も停止する。このときの媒体２００は、媒体繰出位置に位置する。媒体繰出位置では、媒体２００は、媒体プレート１２０の媒体接触面１２０ａとゲート部品１４０の凸型媒体接触部１４０ｃと爪部１５２の媒体接触部１５２ａにより支持される。
【００３０】
媒体繰出装置１０はスクリューシャフト１２２を回転し、ピッカー１５０を開口部１４０ａ方向に移動させる。爪部１５２は、媒体２００の端部に媒体接触部１５２ａを接触させながら、爪１５２ｂを媒体２００の端部に近づける。このとき、爪部１５２は、軸１５６を中心として反時計回りに少し回動し、爪１５２ｂを媒体２００の端部に係合する。ピッカー１５０は、軸１５６及びバネ１５８を備えることにより、爪部１５２を自在に回動させ、爪１５２ｂを媒体２００に係合させることができる。
【００３１】
ピッカー１５０が開口部１４０ａ方向に移動すると、爪１５２ｂに係合された媒体２００も開口部１４０ａ方向に移動する。媒体２００の繰り出し方向側の端部の、繰り出し方向及び媒体の積層方向の双方と垂直な方向（ｙ軸方向）の略中央部は、ゲート部品１４０の凸型媒体接触部１４０ｃに接触している。その結果、媒体２００のｙ軸方向中央部の位置は、開口部１４０ａの略中央部１４０ｄの位置と重なる。したがって、媒体２００は、開口部１４０ａを通過することができる。
【００３２】
（２）媒体２００がｙ軸回りの回転方向に傾く場合
図８及び図９を用いて、媒体２００がｙ軸回りの回転方向に傾く場合の動作について説明する。以下の説明では、上述した動作と異なる点についてのみ説明する。図８は、媒体２００の開口部１４０ａと反対側が広がるように傾く場合を説明する説明図である。図９は、媒体２００の開口部１４０ａ側が広がるように傾く場合を説明する説明図である。
【００３３】
エンボスとは、例えば、媒体に加工された文字や絵柄などの浮き彫りをいう。したがって、媒体２００にエンボス２０２がある場合、エンボス２０２部分は浮いているため、媒体の厚さが厚い。例えば、中心からずれた位置にエンボス２０２が形成された媒体２００を、エンボス２０２の位置をそろえて積層すると、エンボス２０２側が広がって積層される。図８に示す例では、媒体２００の図の下側にエンボスが偏っている。媒体２００は媒体プレート１２０に近づくにつれて垂直状態から段々と左に傾き、媒体プレート１２０に隣接する媒体２００が最も大きく傾く。なお、エンボス２０２の位置がランダムにあると、傾きが相殺されるため、媒体プレート１２０に隣接する媒体２００の傾きは緩和される。したがって、エンボス２０２の位置をそろえて媒体２００を積層する場合、媒体プレート１２０に隣接する媒体２００は最も傾く。図９は図８とは反対に媒体２００の図の上側にエンボスが偏っている例を示す図であり、同様に媒体プレート１２０に隣接する媒体２００の傾きは最も大きくなる。
【００３４】
図８において、媒体２００が、媒体プレート１２０の方向に移動すると、図面の下部で先に媒体２００と媒体プレート１２０が接触する。その結果、媒体プレート１２０は、図面の下部で媒体２００より図面右向きに押される一方、図面の上部では、媒体プレート１２０と媒体２００は接触していないため、媒体プレート１２０は、図面の上部では、媒体２００から右向きに押されない。その結果、媒体プレート１２０は、反時計回り方向に回動する。媒体プレート１２０は、図面上部で媒体２００に接触するまで回動すると、図面の上部で媒体２００から図面右向きに押されるその結果、媒体２００と媒体プレート１２０とが平行になるところで媒体プレート１２０の回動は止まる。媒体プレート１２０が回動する時には、ゲート部品１４０及びピッカー１５０も媒体プレート１２０と共に回動する。その結果、媒体２００と媒体プレート１２０とゲート部品１４０とピッカー１５０の相対的位置関係は、媒体２００が傾かず媒体プレート１２０が回動していない場合と変わらない。その他の動作については、既に述べた動作と同様である。したがって、媒体繰出装置１０は、媒体２００を繰り出すことができる。
【００３５】
図９に示す媒体２００の開口部１４０ａ側が広がるように傾く場合も同様である。すなわち、図９においては、媒体プレート１２０は、軸１３２を支点として、隣接する媒体２００と媒体接触面１２０ａと平行になるまで時計回りに回動する。その他の動作については、同様である。
【００３６】
（３）媒体２００がｙ軸回りの回転方向に反っている場合
図１０及び図１１を用いて、媒体２００がｙ軸回りの回転方向に反っている場合を説明する。図１０は、媒体２００が媒体プレート１２０側に凸を向けてｙ軸回りの回転方向に反っている場合を説明する説明図である。図１１は、媒体２００が媒体プレート１２０側に凹を向けてｙ軸回りの回転方向に反っている場合を説明する説明図である。
【００３７】
図１０において、媒体２００が媒体プレート１２０側に凸を向けてｙ軸回りの回転方向に反っている。媒体２００が媒体繰出位置まで移動したとき、媒体２００の図面上側の端部は、媒体接触面１２０ａから浮いているが、凸型媒体接触部１４０ｃとは接触する。すなわち、ゲート部品１４０は、バネ１４２により媒体プレート１２０に接続されている。その結果、媒体２００の図面上側の端部が媒体プレート１２０の媒体接触面１２０ａから浮いていても、バネ１４２の復元力により、ゲート部品１４０は図面左方に移動する。その結果、媒体２００の端部とゲート部品１４０の凸型媒体接触部１４０ｃとが接触する。
【００３８】
一方、媒体２００の図面下側の端部も、媒体接触面１２０ａから浮いているが、媒体接触部１５２ａとは接触する。すなわち、爪部１５２は、バネ１５８により爪部支持部１５４に接続されている。その結果、媒体２００の図面下側の端部が媒体プレート１２０の媒体接触面１２０ａから浮いていても、バネ１５８の復元力により、爪部１５２は時計回りに回動する。その結果、媒体２００の端部とピッカー１５０の爪部１５２の媒体接触部１５２ａとが接触する。その他の動作については、既に述べた動作と同様である。したがって、媒体繰出装置１０は、媒体２００を繰り出すことができる。
【００３９】
図１１において、媒体２００が媒体プレート１２０側に凹を向けてｙ軸回りの回転方向に反っている。媒体２００が媒体繰出位置まで移動したとき、媒体２００の図面上側の最端部から少し媒体中央側に寄った端部が、媒体接触面１２０ａに接触する。このとき、媒体２００の最端部は媒体接触面１２０ａから図面の上方にはみ出て、凸型媒体接触部１４０ｃと接触する。その他の動作については、基本動作と同様であるので、説明を省略する。
【００４０】
（４）媒体２００がｘ軸回りの回転方向に傾く場合
図１２を用いて、媒体２００がｘ軸回りの回転方向に傾く場合について説明する。図１２は、媒体２００がｘ軸回りの回転方向に傾く場合を説明する説明図である。
【００４１】
上述したように、中心からずれた位置にエンボス２０２が形成された媒体２００を、エンボス２０２の位置をそろえて積層すると、媒体プレート１２０に隣接する媒体２００が最も傾く。本実施例では、エンボス２０２が図１２の右側に偏るように媒体を積層し、媒体２００の右側が媒体プレート１２０側に広がるように傾く場合について説明する。なお、エンボス２０２が図の左側に偏る場合については、左右対称であるので、説明を省略し、エンボスが図の右側に偏る場合についてのみ説明する。
【００４２】
媒体２００は上述した動作により媒体プレート１２０方向に移動する。その結果、媒体２００の繰り出し方向の直交中央部は、ゲート部品の凸型媒体接触部１４０ｃ及びピッカー１５０の媒体接触部１５２ａと接触する。媒体２００は、凸型媒体接触部１４０ｃ及び媒体接触部１５２ａとの接点を支点として、図面上、右端部が媒体プレート１２０に近づき、左端部が媒体プレートから遠ざかる。媒体２００は、さらに媒体プレート１２０方向に移動すると、図面右側の端部が媒体プレート１２０の媒体接触面１２０ａと接触し、移動を止める。ここで、開口部１４０ａの端部の開口厚さは、中央部の開口厚さよりも厚い。その結果、開口部１４０ａは、媒体２００が傾いていても、傾きが一定以下であれば、開口部１４０ａの縁に引っ掛けることなく媒体２００を通過させることができる。よって、媒体２００は、開口部１４０ａの縁に引っ掛かることなく開口部１４０ａを通過し、媒体繰出装置１０の外に繰り出る。なお、その他の動作については、すでに説明した動作と同じであるので説明を省略する。
【００４３】
（５）媒体２００がｙ軸回りの回転方向に反っている場合
図１３及び図１４を用いて、媒体２００がｙ軸回りの回転方向に反っている場合について説明する。図１３は、媒体２００が媒体プレート１２０側に凸を向けてｙ軸回りの回転方向に反っている場合を説明する説明図である。図１４は、媒体２００が媒体プレート１２０側に凹を向けてｙ軸回りの回転方向に反っている場合を説明する説明図である。
【００４４】
図１３において、媒体２００は上述した動作により媒体プレート１２０方向に移動する。その結果、媒体２００の繰り出し方向の直交中央部をゲート部品の凸型媒体接触部１４０ｃ及びピッカー１５０の媒体接触部１５２ａと接触させる。媒体２００の媒体繰り出し方向の直交方向略中央部は、媒体プレート１２０の媒体接触面１２０ａと接触する。このとき、媒体２００は媒体プレート１２０側を凸として反っているため、図面上、右端部が媒体プレート１２０と反対側に反り、左端部も媒体プレート１２０と反対側に反る。ここで、開口部１４０ａの端部の開口厚さは、中央部の開口厚さよりも厚い。したがって、開口部１４０ａは、媒体２００の右端部及び、左端部の両方が媒体プレート１２０と反対側に反っていても、反りの大きさが一定の大きさ以下であれば、開口部１４０ａの縁に引っ掛けることなく媒体２００を通過させることができる。よって、媒体２００は、開口部１４０ａの縁に引っ掛かることなく開口部１４０ａを通過し、媒体繰出装置１０の外に繰り出る。なお、その他の動作については、すでに説明した動作と同じであるので説明を省略する。
【００４５】
図１４において、媒体２００は、略中央部を凹の先端として、右端部及び、左端部の両方が媒体プレート１２０側に反っている。媒体２００は上述した動作と同様に、媒体２００の繰り出し方向の直交中央部をゲート部品の凸型媒体接触部１４０ｃ及びピッカー１５０の媒体接触部１５２ａと接触させる。媒体２００の媒体繰り出し方向と直行する方向の両端部は、媒体プレート１２０の媒体接触面１２０ａと接触する。このとき、媒体２００は、図面上、右端部が媒体プレート１２０側に反り、左端部も媒体プレート１２０側に反る。ここで、開口部１４０ａの端部の開口厚さは、中央部の開口厚さよりも厚い。したがって、同様に、開口部１４０ａは、媒体２００の右端部及び、左端部の両方が媒体プレート１２０側に反っていても、反りの大きさが一定の大きさ以下であれば、開口部１４０ａの縁に引っ掛けることなく媒体２００を通過させることができる。よって、媒体２００は、開口部１４０ａの縁に引っ掛かることなく開口部１４０ａを通過し、媒体繰出装置１０の外に繰り出る。なお、その他の動作については、すでに説明した動作と同じであるので説明を省略する。
【００４６】
以上、本実施例によれば、媒体押付部１１０を備えることにより、重力の力を借りなくても媒体２００を媒体プレート１２０方向に移動させ、ピッカー１５０で媒体２００を係合できるので、媒体収納部１０８を縦置き、横置きいずれに配置しても実行可能である。
【００４７】
本実施例では、媒体繰出装置１０は、回動可能な媒体プレート１２０を備えているので、媒体２００がｙ軸回りの回転であればいずれの向きに傾いていても媒体プレート１２０はその傾きに合わせて回動して傾くことができる。したがって、媒体繰出装置１０は、開口部１４０ａを通して媒体２００を繰り出すことができる。
【００４８】
本実施例では、媒体繰出装置１０は、移動な能なゲート部品１４０と回動可能な爪部１５２を有するピッカー１５０を備えることにより、媒体２００がｙ軸回りの回転方向に反っている場合には、媒体プレート１２０側の凹、凸いずれを向けていても、媒体繰出装置１０は、ゲート部品１４０を移動させて凸型媒体接触部１４０ｃを媒体２００と接触させ、及び、爪部１５２を回動させて媒体接触部１５２ａを媒体２００に接触させることができる。その結果、ピッカー１５０は爪１５２ｂを媒体２００に係合させて、媒体を繰り出すことができる。
【００４９】
本実施例では、開口部１４０ａの両端部の開口厚さを、略中央部の厚さよりも厚くすることにより、媒体２００がｘ軸回りの回転方向に反っている場合に、凸の向きが、媒体プレート１２０と同じ方向を向いていても媒体プレート１２０と反対側を向いていても、反りの大きさが一定の大きさ以下であれば、媒体２００は、開口部１４０ａの縁に引っ掛からずに開口部１４０ａを通過することができる。
【００５０】
本実施例では、一方が凸になるように反っている場合について説明したが、例えば、図１５に示すように媒体２００がＳ字型に反っている場合でも開口部の長手方向端部の開口厚さは略中央部１４０ｄの開口厚さよりも上下方向に厚く広がっているので、媒体２００は開口部１４０ａを通過可能である。図１５は、媒体２００がＳ字型に反っている場合を説明する説明図である。また、反りとエンボス２０２による傾きの両方がある場合でも、媒体プレート１２０の回動、ゲート部品１４０の移動、爪部１５２の回動が組み合わせることにより、媒体２００に開口部１４０ａを通過させることが可能である。
【００５１】
（変形例）
本実施例では、弾性体としてバネを用いたが、バネ以外の弾性体、例えば、ブッシュ、ダンパー等の伸縮可能な弾性体を用いてもよい。ブッシュやダンパーであっても媒体２００の反りや傾きに応じて伸縮できる。
【００５２】
本実施例では、媒体プレートをｙ軸回りの回転方向に回動させているが、さらに、媒体プレートをｘ軸回りの回転方向に回動させる構成を加えてもよい。ｘ軸回りの回転方向の傾きが大きい場合に対応し易くなる。
【００５３】
本実施例では、爪部１５２を、軸１５６を中心として回動させるようにしているが、ゲート部品１４０のように媒体２００の積層方向と平行移動するように構成してもよい。爪部１５２を媒体２００の積層方向と平行移動するようにしても、媒体２００と媒体接触部１５２ａとが接触させることができる。
【００５４】
本実施例では、凸型媒体接触部１４０ｃ及び凸状部１４０ｅの、媒体２００の繰り出し方向に垂直な断面形状は矩形状であるが、断面形状を、例えば、図１６に示すように三角形状にしてもよい。図１６は、変形例に係るゲート部品１４０を示す説明図である。凸型媒体接触部１４０ｃの幅が狭くなるので、媒体２００がｘ軸回りの回転方向に傾いたときに対応し易くなる。また、凸型媒体接触部１４０ｃ及び凸状部１４０ｅの断面形状を、例えば、半円のような繰出口側が丸い形状にしてもよい。角が無くなるので開口部１４０ａに引っ掛かりにくくなる。
【００５５】
本実施例では、媒体プレート１２０の媒体繰り出し方向の略中央に軸１３２を備えているが、媒体プレートの端部、例えば、ゲート部品１４０に近い端部、に軸１３２を備えるように構成してもよい。媒体２００を繰り出す開口部１０２の大きさを小さくできる。
【００５６】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００５７】
【図１】媒体繰出装置の外観を示す斜視図。
【図２】媒体繰出装置の側面透視図。
【図３】媒体繰出装置の平面透視図。
【図４】媒体繰出装置の正面透視図。
【図５】本実施例に係る媒体繰出装置の媒体プレートとゲート部品とピッカーを模式的に示す斜視図。
【図６】本実施例に係る媒体繰出装置に用いられるゲート部品の斜視図。
【図７】本実施例に係る媒体繰出装置に用いられるピッカーの斜視図。
【図８】媒体の開口部と反対側が広がるように傾く場合を説明する説明図。
【図９】媒体の開口部側が広がるように傾く場合を説明する説明図。
【図１０】媒体が媒体プレート側に凸を向けてｙ軸回りの回転方向に反っている場合を説明する説明図。
【図１１】媒体が媒体プレート側に凹を向けてｙ軸回りの回転方向に反っている場合を説明する説明図。
【図１２】媒体がｘ軸回りの回転方向に傾いている場合を説明する説明図。
【図１３】媒体が媒体プレート側に凸を向けてｘ軸回りの回転方向に反っている場合を説明する説明図。
【図１４】媒体が媒体プレート側に凹を向けてｘ軸回りの回転方向に反っている場合を説明する説明図。
【図１５】媒体がＳ字型に反っている場合を説明する説明図。
【図１６】変形例に係るゲート部品を示す説明図。
【符号の説明】
【００５８】
１０…媒体繰出装置
１００…筐体
１０１…台座
１０２…開口部
１０４…スイッチボタン
１０６…カウンタ
１０８…媒体収納部
１０９…取手
１１０…媒体押付部
１１２…スクリューブロック
１１４…スクリューシャフト
１１６…ガイドシャフト
１２０…媒体プレート
１２０ａ…媒体接触面
１２０ｂ…開口部
１２２…スクリューシャフト
１２４…ガイドシャフト
１２６…媒体プレート支持部
１２８…バネ
１３０…バネ
１３２…軸
１４０…ゲート部品
１４０ａ…開口部
１４０ｂ…媒体接触部
１４０ｃ…凸型媒体接触部
１４０ｄ…中央部
１４０ｅ…凸状部
１４２…バネ
１５０…ピッカー
１５２…爪部
１５２ａ…媒体接触部
１５２ｂ…爪
１５２ｃ…背面部
１５４…爪部支持部
１５４ａ…スクリューシャフト用ネジ穴
１５４ｂ…ガイドシャフト用穴
１５６…軸
１５８…バネ
２００…媒体
２０２…エンボス
【図１】
2008168960.tif 000003
【図２】
2008168960.tif 000004
【図３】
2008168960.tif 000005
【図４】
2008168960.tif 000006
【図５】
2008168960.tif 000007
【図６】
2008168960.tif 000008
【図７】
2008168960.tif 000009
【図８】
2008168960.tif 000010
【図９】
2008168960.tif 000011
【図１０】
2008168960.tif 000012
【図１１】
2008168960.tif 000013
【図１２】
2008168960.tif 000014
【図１３】
2008168960.tif 000015
【図１４】
2008168960.tif 000016
【図１５】
2008168960.tif 000017
【図１６】
2008168960.tif 000018